(57)【要約】【課題】バッテリトレイを補強すると共に、バッテリに隣接するデガッシングタンクを強固に車体に支持する車両用デガッシングタンクブラケットを提供する。【解決手段】デガッシングタンクブラケット６は、アッパメンバ連結部８と、バッテリトレイ連結部９と、デガッシングタンク３を固定する際、デガッシングタンク３の下方を通り、載置可能とする載置部１０とを一体に形成したので、バッテリトレイ５を補強できると共に、デガッシングタンク３を強固に車体のアッパメンバ１に支持することができる。デガッシングタンクブラケット６のアッパメンバ連結部８、バッテリトレイ連結部９及びデガッシングタンク載置部１０のそれぞれにデガッシングタンク３との固定部を備えたので、デガッシングタンク３を３点で固定し安定した状態で支持することができる。【選択図】        図１
2004270661.tif 000002
【特許請求の範囲】
【請求項１】
アッパメンバと連結固定可能なアッパメンバ連結部と、バッテリトレイと連結固定可能なバッテリトレイ連結部と、デガッシングタンクを固定する際、前記デガッシングタンクの下方を通り、前記デガッシングタンクを載置可能とするデガッシングタンク載置部とを一体に形成することを特徴とする車両用デガッシングタンクブラケット。
【請求項２】
前記デガッシングタンクの固定部は、前記アッパメンバ連結部と前記バッテリトレイ連結部の両方に設けられていることを特徴とする請求項１に記載の車両用デガッシングタンクブラケット。
【請求項３】
前記デガッシングタンク載置部には、前記デガッシングタンクの底面を固定可能なタンク固定部を備えていることを特徴とする請求項１または２に記載の車両用デガッシングタンクブラケット。
【発明の詳細な説明】
【０００１】
【発明の属する技術分野】
本発明は、デガッシングタンクを支持する車両用デガッシングタンクブラケットに関するものである。
【０００２】
【従来の技術】
従来、図６に示すように、車両前部に配設されるバッテリ４は、バッテリトレイ５に載置されており、このバッテリトレイ５は、車体のサイドメンバ２に、補強材５０を介して固定されている。さらにバッテリ４に隣接するようにデガッシングタンク３が配設されており、このデガッシングタンク３は、バッテリトレイ５の底部から延設されたブラケット５１に支持されている。
【０００３】
このように、バッテリは重量物であるため、バッテリを載置するバッテリトレイは、補強材を介して車体側メンバに支持され、さらに、このバッテリトレイには、デガッシングタンク等の部品を固定する為のブラケット等も取り付けられ、バッテリトレイには大きな荷重が負荷されている。そのため、バッテリトレイの剛性については、十分に注意をはらって設計する必要があった。
【０００４】
また、特許文献１には、リザーブタンクを支持するリザーブタンクブラケットを、車両前部に配設されたアッパメンバとバッテリブラケットとを連絡して固定したことが開示されている。
【０００５】
【特許文献１】
特開２０００−３２８９４３号公報
【０００６】
【発明が解決しようとする課題】
上述したように、バッテリが載置されたバッテリトレイには、バッテリトレイ自体を車体に支持するブラケットや、デガッシングタンクを支持するブラケット等複数のブラケットが固定されており、バッテリトレイに大きな荷重が作用するため、バッテリトレイには、十分な剛性が必要であった。そのため、バッテリトレイの剛性を向上させるために、バッテリトレイに補強材を追加することも行われているが、補強材の数量が増加し、車両の重量増加や材料費の増加等の問題があった。
【０００７】
また、特許文献１に記載の発明では、リザーブタンクを支持するリザーブタンクブラケットを、車両前部のアッパメンバとバッテリブラケットとを連絡して固定しているが、この発明では、リザーブタンクの側面の一箇所のみがリザーブタンクブラケットによって支持されるために、リザーブタンクを支持する支持力が不足する虞があり、まだ改善の余地がある。
【０００８】
本発明は、かかる点に鑑みてなされたものであり、バッテリトレイを補強すると共に、バッテリに隣接して配置されるデガッシングタンクを車体に強固に支持する車両用デガッシングタンクブラケットを提供することを目的とする。
【０００９】
【課題を解決するための手段】
本発明は、上記課題を解決するための手段として、請求項１に記載した発明は、アッパメンバと連結固定可能なアッパメンバ連結部と、バッテリトレイと連結固定可能なバッテリトレイ連結部と、デガッシングタンクを固定する際、前記デガッシングタンクの下方を通り、前記デガッシングタンクを載置可能とするデガッシングタンク載置部とを一体に形成することを特徴とするものである。
このように構成することにより、デガッシングタンクブラケットの剛性を高めることができるので、このデガッシングタンクブラケットに連結されたバッテリトレイの支持剛性を向上させることができる。
【００１０】
請求項２に記載した発明は、請求項１に記載した発明において、前記デガッシングタンクの固定部は、前記アッパメンバ連結部と前記バッテリトレイ連結部の両方に設けられていることを特徴とするものである。
このように構成することにより、デガッシングタンクは、デガッシングタンクブラケットに設けた２つの連結部により、挟まれるように固定、支持されるので、バランス良く保持される。
【００１１】
請求項３に記載した発明は、請求項１または２に記載した発明において、前記デガッシングタンク載置部には、前記デガッシングタンクの底面を固定可能なタンク固定部を備えていることを特徴とするものである。
このように構成することにより、デガッシングタンクを、三点固定で支持するので、デガッシングタンクの固定において安定性を高めることができる。
【００１２】
【発明の実施の形態】
以下、本発明の実施の形態に係る車両用デガッシングタンクブラケットを図１〜図５に基いて詳細に説明する。なお、本発明の実施の形態の説明において従来例と同一部材及び相当する部品は、同一の符号を使用して説明する。
車両の前部には、車体のアッパメンバ１が車両幅方向に延設され、アッパメンバ１の側方には、車体のサイドメンバ２が車両前後方向に延設されている。そして、アッパメンバ１とサイドメンバ２で区画された車両内部で、アッパメンバ１の後方にデガッシングタンク（点線）３が配設され、このデガッシングタンク３の後方にバッテリ４が順次配設されている。このバッテリ４は、バッテリトレイ５に載置されている。
【００１３】
本発明の実施の形態に係るデガッシングタンクブラケット６は、図１〜図４に示すように、デガッシングタンク３の側面の一部を取り囲むように、略コ字状に形成されるタンク取囲み部７と、このタンク取囲み部７の左方板部７ｂから左方に延設されアッパメンバ２と連結可能なアッパメンバ連結部８と、タンク取囲み部７の後方板部７ａの右端から後方に延設されバッテリトレイ５と連結可能なバッテリトレイ連結部９と、タンク取囲み部７の後方板部７ａの下端と前方板部７ｃの下端とを接続して、デガッシングタンク３を載置するデガッシングタンク載置部１０とから構成されている。
【００１４】
タンク取囲み部７は、図１〜図４に示すように、デガッシングタンク３の前後面及び左側面を取り囲むように、デガッシングタンク３の右方側を開放する略コ字状に形成されている。
アッパメンバ連結部８は、上面視及び左側面視において、図２及び図３に示すように、タンク取囲み部７の左方板部７ｂの左側面に溶着され上下に延設される上下延設板部１１と、この上下延設板部１１の上端から連続して左方に屈曲して延設する左方延設板部１２と、この左方延設板部１２の左方側の前端から連続して上方に屈曲し延設する上下延設板部１３と、この上下延設板部１３の上端から連続して前方に屈曲して延設する前方延設板部１４とから構成されている。
左方延設板部１２のほぼ中央部には、デガッシングタンク３と連結する図示しない締付ボルトが挿通するボルト挿通孔１２ａが１個形成されている。また、前方延出板部１４のやや前方には、アッパメンバ１と連結する図示しない締付ボルトが挿通するボルト挿通孔１４ａが１個形成されている。
【００１５】
バッテリトレイ連結部９は、上面視及び右側面視において、図２及び図４に示すように、タンク取囲み部７の後方板部７ａの右端に溶着され、後方に延設された後方延設板部１６と、この後方延設板部１６の右側面のタンク取囲み部７側に固定され、上下に延設する上下延設板部１７とから構成されている。
後方延設板部１６には、バッテリトレイ５と連結する図示しない締付ボルトが挿通するボルト挿通孔１６ｂ、１６ｂが所定の間隔をあけて２個形成されている。
また、上下延設板部１７の上端から連続して右方に屈曲して延設する右方延設板部１８が形成され、この右方延設板部１８と、アッパメンバ連結部８を構成する左方延設板部１２とは、ほぼ同じ高さの位置に形成されている。この右方延設板部１８のほぼ中央には、デガッシングタンク３と連結する図示しない締付ボルトが挿通するボルト挿通孔１８ａが１個形成されている。
【００１６】
デガッシンタンク載置部１０は、タンク取囲み部７の後方板部７ａのほぼ中央の下端と、タンク取囲み部７の前方板部７ｃの下端とを接続するように溶着して形成されている。このデガッシングタンク載置部１０のやや後方側には、後述するデガッシングタンク３の底面に形成されるボス部２３が挿通するボス挿通孔１０ａが形成されている。
【００１７】
また、タンク取囲み部７の前方板部７ｃの上端から延設したデガッシングタンク載置部１０の上端に前方に屈曲して延設する前方延設板部１５が形成されている。この前方延設板部１５のほぼ中央部には、アッパメンバ１と連結する図示しない締付ボルトが挿通するボルト挿通孔１５ａが１個形成されている。
【００１８】
デガッシングタンク２０は、図５に示すように、縦長で、上面視で長円形状に形成されている。また、デガッシングタンク２０には、上下方向中央よりやや上方の位置に、左側面の後端から左方に突出してデガッシングタンクブラケット６と連結する左方ブラケット連結部２１と、この左方ブラケット連結部２１と同じ高さの位置で、後側面の右端から後方に突出してデガッシングタンクブラケット６と連結する後方ブラケット連結部２２がそれぞれ形成されている。
そして、左方ブラケット連結部２１には、デガッシングタンクブラケット６のアッパメンバ連結部８を構成する左方延設板部１２と連結される図示しない締付ボルトが挿通する挿通孔２１ａが１個形成されている
また、後方ブラケット連結部２２には、デガッシングタンクブラケット６のバッテリトレイ連結部９を構成する右方延設板部１８と連結される図示しない締付ボルトが挿通する挿通孔２２ａが１個形成されている。
【００１９】
一方、バッテリ４を載置するバッテリトレイ５の側面には、図１に示すように、デガッシングタンクブラケット６のバッテリトレイ連結部９を構成する後方延設板部１６に形成したボルト挿通孔１６ｂ、１６ｂと対応する位置に、ボルト挿通孔５ａ、５ａを形成している。
【００２０】
そして、図１〜図５に示すように、デガッシングタンクブラケット６とバッテリトレイ５とは、デガッシングタンクブラケット６のバッテリトレイ連結部９を構成する後方延設板部１６を、バッテリトレイ５の右側面に当接して、それぞれに形成したボルト挿通孔５ａ、１６ｂを連通させ、締付ボルト（図示省略）で固定している。
【００２１】
デガッシングタンクブラケット６にデガッシングタンク３を固定する場合には、デガッシングタンクブラケット６のバッテリトレイ連結部９の右方延設板部１８に、デガッシングタンク３に設けた右方ブラケット連結部２２を当接すると共に、それぞれに設けたボルト挿通孔１８ａ、２２ａを連通し、締付ボルト（図示省略）で固定し、また、デガッシングタンクブラケット６のアッパメンバ連結部８の左方延設板部１２に、デガッシングタンク３に設けた左方ブラケット連結部２１を当接すると共に、それぞれのボルト挿通孔１２ａ、２１ａを連通し、締付ボルト（図示省略）で固定する。さらに、デガッシングタンク３の底面に設けたボス部２３を、デガッシングタンクブラケット６のデガッシングタンク載置部１０に設けたボス挿通孔１０ａに挿通して固定する。
【００２２】
また、デガッシングタンクブラケット６を車体側アッパメンバ１に固定する場合には、デガッシングタンクブラケット６のアッパメンバ連結部８の前方延設板部１４と、タンク取囲み部７の前方板部７ｃの上端から延設したデガッシング載置部１０の上端から前方に屈曲した前方延設板部１５をそれぞれアッパメンバ１の上面に載置して、締付ボルト（図示省略）で固定する。
【００２３】
以上説明したように、本発明の実施の形態に係る車両用デガッシングタンクブラケットによれば、バッテリトレイ５との固定部である後方延設板部１６とデガッシングタンク３との固定部である右方延設板部１８を有するバッテリトレイ連結部９と、アッパメンバ１との固定部である前方延設板部１４とデガッシングタンク３との固定部である右方延設板部１２を有するアッパメンバ連結部８と、デガッシングタンク３の底面を支持すると共にボス挿通孔（タンク固定部）１０ａを有するデガッシングタンク載置部１０とを一体に形成したので、単一のデガッシングタンクブラケット６によって、バッテリトレイ５を補強でき、しかもデガッシングタンク３を車体のアッパメンバ１に強固に支持することができる。さらに、デガッシングタンク３は、デガッシングタンクブラケット６のデガッシングタンク載置部１０のタンク固定部１０ａと、右方側のバッテリトレイ連結部９の右方延設板部１８と、左方側のアッパメンバ連結部８の左方延設板部１２との３箇所で固定されているので、バランス良く、強固に支持されることになる。
【００２４】
【発明の効果】
以上説明したように、請求項１に記載した発明によれば、アッパメンバ連結部と、バッテリトレイ連結部と、デガッシングタンクの下方を通ってデガッシングタンクを載置する載置部とを一体に形成しているので、デガッシングタンクブラケットの剛性を高めることができると共に、バッテリトレイを補強、及び支持できる。その結果、バッテリに隣接するデガッシングタンクを車体に強固に支持することができる。
【００２５】
請求項２に記載した発明によれば、アッパメンバ連結部とバッテリトレイ連結部の両方の連結部に、デガッシングタンクとの固定部を設けたので、デガッシングタンクは、両連結部の間に挟まれるように固定されバランス良く保持される。
【００２６】
請求項３に記載した発明によれば、デガッシングタンク載置部にタンク固定部を備えたので、デガッシングタンクを、アッパメンバ連結部、バッテリトレイ連結部及びデガッシングタンク載置部の３点で固定でき、デガッシングタンクの安定性を高めることができる。
【図面の簡単な説明】
【図１】図１は、本発明の実施の形態に係る車両用デガッシングタンクブラケットによりバッテリトレイ及びデガッシングタンクを支持した状態を示す斜視図である。
【図２】図２は、本発明の実施の形態に係る車両用デガッシングタンクブラケットの上面である。
【図３】図３は、本発明の実施の形態に係る車両用デガッシングタンクブラケットの左側面図である。
【図４】図４は、本発明の実施の形態に係る車両用デガッシングタンクブラケットの右側面図である。
【図５】図５は、デガッシングタンクを示す図であり、（ａ）は上面図、（ｂ）は正面図及び（ｃ）は底面図である。
【図６】図６は、従来のブラケットによりバッテリトレイ及びデガッシングタンクを支持した状態を示す斜視図である。
【符号の説明】
１          アッパメンバ
３          デガッシングタンク
４          バッテリ
５          バッテリトレイ
６          デガッシングタンクブラケット
７          タンク取囲み部
８          アッパメンバ連結部
９          バッテリトレイ連結部
１０        デガッシングタンク載置部
１０ａ      ボス挿通孔（タンク固定部）
【図１】
2004270661.tif 000003
【図２】
2004270661.tif 000004
【図３】
2004270661.tif 000005
【図４】
2004270661.tif 000006
【図５】
2004270661.tif 000007
【図６】
2004270661.tif 000008